(57)【要約】【課題】階調特性が異なる複数の画像データを１つの画像ファイルに格納することにより、印刷／表示装置は、それぞれのダイナミックレンジに適した階調特性または色空間特性の画像を選択して印刷／表示することが可能となる画像データ処理装置を提供する。【解決手段】画像データ処理装置は、第１の階調特性または色空間特性を有する第１の画像データと、第１の階調特性または色空間特性とは異なる第２の階調特性または色空間特性を有する第２の画像データとを、１つのファイルに格納して記録する。【選択図】図３
2018019122.tif 000002
【特許請求の範囲】
【請求項１】
第１の階調特性を有する第１の画像データを生成する手段と、
前記第１の画像データとは異なる第２の階調特性を有する第２の画像データを生成する手段と、
前記第１の画像データと前記第２の画像データとを１つのファイルに格納して記録する手段と、
を備える画像データ処理装置。
【請求項２】
第１の色空間特性を有する第１の画像データを生成する手段と、
前記第１の画像データとは異なる第２の色空間特性を有する第２の画像データを生成する手段と、
前記第１の画像データと前記第２の画像データとを１つのファイルに格納して記録する手段と、
を備える画像データ処理装置。
【請求項３】
再生装置の画素数に対応して前記第１の画像データから第３の画像データを生成する手段と、
前記第２の画像データから第４の画像データを生成する手段と、
前記第１の画像データと前記第２の画像データと前記第３の画像データと前記第４の画像データを１つのファイルに格納して記録する手段と、
を備える請求項１または請求項２に記載の画像データ処理装置。
【請求項４】
前記第２の画像データと前記第１の画像データとの差分画像データを生成する手段と、
前記第１の画像データと前記差分画像データとを１つのファイルに格納して記録する手段と、
を備える請求項１または請求項２にに記載の画像生成装置。
【請求項５】
請求項１に記載のファイルに格納された画像データを再生する画像データ処理装置であって、
再生すべき画像ファイルに前記第２の階調特性を有する前記第２の画像データが含まれるかどうかを判断する手段と、
前記第２の画像データが含まれており、かつ、前記第２の階調特性に対応している場合には、前記第２の画像データを再生する手段と、
を備える画像データ処理装置。
【請求項６】
請求項２に記載のファイルに格納された画像データを再生する画像データ処理装置であって、
再生すべき画像ファイルに前記第２の色空間特性を有する前記第２の画像データが含まれるかどうかを判断する手段と、
前記第２の画像データが含まれており、かつ、前記第２の色空間特性に対応している場合には、前記第２の画像データを再生する手段と、
を備える画像データ処理装置。
【請求項７】
請求項１に記載のファイルに格納された画像データを編集する画像データ処理装置であって、
編集すべき画像ファイルに異なる複数の階調特性を有する複数の画像データが含まれるかどうかを判断する手段と、
ユーザーに前記複数の画像データのうち編集すべき画像を選択させる手段と、
ユーザーの選択に応じて選択された画像データの階調特性を変更して記録する手段と、
を備える画像データ処理装置。
【請求項８】
請求項２に記載のファイルに格納された画像データを編集する画像データ処理装置であって、
編集すべき画像ファイルに異なる複数の色空間特性を有する複数の画像データが含まれるかどうかを判断する手段と、
ユーザーに前記複数の画像データのうち編集すべき画像を選択させる手段と、
ユーザーの選択に応じて選択された画像データの色空間特性を変更して記録する手段と、
を備える画像データ処理装置。
【発明の詳細な説明】
【技術分野】
【０００１】
本開示は、階調特性が異なる複数の画像データを１つのファイルに格納する画像ファイルを記録する画像データ処理装置および撮像装置に関する。
【背景技術】
【０００２】
特許文献１は、複数の画像を１つのファイルに格納可能な画像ファイルを生成するデジタルスチルカメラ（以下、「デジタルカメラ」という。）を開示する。
【０００３】
このデジタルカメラは、撮像した画像データ（例えば、横６０００画素×縦４０００画素）から、表示用の画像データ（例えば、横１９２０画素×縦１０８０画素）を生成する。表示用の画像データは、ハイビジョンテレビの画素数を有する。このデジタルカメラは、撮像した画像データと表示用の画像データとを同一の画像ファイル内で管理する。
【０００４】
これにより、このデジタルカメラは、撮影した画像の全画素から成る画像データと、ハイビジョンテレビでの表示用の画像データとを、１つのファイルに格納して記録することができる。
【先行技術文献】
【特許文献】
【０００５】
【特許文献１】国際公開第２００９／０６６４７１号
【発明の概要】
【発明が解決しようとする課題】
【０００６】
上記の特許文献１によれば、それぞれの表示装置の画素数に合致した複数の画像データを画像ファイルに格納することにより、迅速に画像を表示できるという利点がある。一方、プリンタやテレビなど、印刷／表示のダイナミックレンジが異なる装置において、印刷／表示される画像の階調特性が同じとなり、それぞれの印刷／表示装置に適した画像の印刷／表示ができない。
【０００７】
本開示は、上記の課題を考慮してなされたものであり、階調特性が異なる複数の画像データを１つの画像ファイルに格納することにより、印刷／表示装置は、それぞれのダイナミックレンジに適した階調特性の画像を印刷／表示することが可能となる画像データ処理装置を提供することを目的とする。
【課題を解決するための手段】
【０００８】
本開示における画像データ処理装置は、第１の階調特性を有する第１の画像データを生成する手段と、第１の階調特性とは異なる第２の階調特性を有する第２の画像データを生成する手段と、第１の画像データと第２の画像データとを１つの画像ファイルに格納する手段と、を備える。
【発明の効果】
【０００９】
本開示における画像データ処理装置は、階調特性の異なる複数の画像データを１つのファイルに格納できる。
【図面の簡単な説明】
【００１０】
【図１】実施の形態１におけるデジタルカメラの構成を示すブロック図
【図２】実施の形態１におけるデジタルカメラの背面図
【図３】実施の形態１における画像ファイルのデータ構成図
【図４】実施の形態１における管理テーブルＴ１０の模式図
【図５】実施の形態１における記録動作のフローチャート
【図６】実施の形態１における再生動作のフローチャート
【図７】他の実施の形態における画像ファイルのデータ構成図
【図８】他の実施の形態における画像ファイルのデータ構成図
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、添付図面および以下の説明は、当業者が本開示を十分に理解するために、提供されるのであって、これらにより特許請求の範囲に記載の主題を限定することは意図されていない。
【００１３】
（実施の形態１）
以下、画像データ処理装置として、撮像装置（デジタルカメラ）を一例として、実施の形態１について図面を参照して説明する。
【００１４】
〔１．構成〕
〔１−１．デジタルカメラの電気的構成〕
図１は、本開示の実施の形態１にかかるデジタルカメラ１０１の構成を示すブロック図である。デジタルカメラ１０１は、光学系１２０により形成された被写体像をイメージセンサ１４１で撮像する。イメージセンサ１４１で生成された画像データは、画像処理部１６０で各種処理が施され、メモリカード１０８や内蔵メモリ１０９に格納される。また、メモリカード１０８などに格納された画像データは、液晶モニタ１１０で表示可能である。以下、デジタルカメラ１０１の構成を詳細に説明する。
【００１５】
光学系１２０は、対物レンズ１２１、ズームレンズ１２２、絞り１２３、ＯＩＳユニット１２４、フォーカスレンズ１２５を含む。光学系１２０は、被写体からの光を集光し、被写体像を形成する。
【００１６】
対物レンズ１２１は、最も被写体側に配置されたレンズである。ズームレンズ１２２は、光学系１２０の光軸に沿って移動することにより、被写体像を拡大又は縮小可能である。絞り１２３は、使用者の設定に応じて若しくは自動で、開口部の大きさを調整し、光学系１２０を透過する光の量を調整する。ＯＩＳユニット１２４は、内部に、光軸に垂直な面内で移動可能な補正レンズを有する。ＯＩＳユニット１２４は、デジタルカメラ１０１のぶれを相殺する方向に補正レンズを駆動することにより、被写体像のぶれを低減する。フォーカスレンズ１２５は、光学系１２０の光軸に沿って移動することにより、被写体像のピントを調整する。
【００１７】
駆動系１３０は、光学系１２０内の各光学素子を駆動する。
【００１８】
ズームモータ１３２は、ズームレンズ１２２を光学系１２０の光軸に沿って駆動する。ズームモータ１３２は、カム機構やボールネジなどの機構を介してズームレンズ１２２を駆動するようにしてもよい。ズームモータ１３２は、パルスモータやＤＣモータ、リニアモータ、サーボモータなどで実現してもよい。
【００１９】
絞りアクチュエータ１３３は、絞り１２３の開口部の大きさを変えるための駆動部である。絞りアクチュエータ１３３はモータなどで実現可能である。
【００２０】
ＯＩＳアクチュエータ１３４は、ＯＩＳユニット１２４内の補正レンズを光軸と垂直な面内で駆動する。ＯＩＳアクチュエータ１３４は、平面コイルや超音波モータなどで実現できる。
【００２１】
フォーカスモータ１３５は、フォーカスレンズ１２５を光学系１２０の光軸に沿って駆動する。フォーカスモータ１３５は、カム機構やボールネジなどの機構を介してフォーカスレンズ１２５を駆動するようにしてもよい。フォーカスモータ１３５は、パルスモータやＤＣモータ、リニアモータ、サーボモータなどで実現してもよい。また、フォーカスモータ１３５を設けず、ズームモータ１３２をズームレンズ１２２及びフォーカスレンズ１２５を駆動する駆動手段として兼用してもよい。
【００２２】
イメージセンサ１４１は、光学系１２０で形成された被写体像を撮像して、画像データを生成する。タイミングジェネレータ１４２は、イメージセンサ１４１を駆動するためのタイミング信号を生成する。イメージセンサ１４１は、タイミングジェネレータ１４２で生成されるタイミング信号に従って、露光、転送、電子シャッタなどの各種の動作を行う。ＡＤコンバータ１０５は、イメージセンサ１４１で生成された画像データをデジタル信号に変換する。
【００２３】
画像処理部１６０は、ＡＤコンバータ１０５で変換された画像データに対して各種の処理を施す。画像処理部１６０は、イメージセンサ１４１で生成された画像データに対して処理を施し、メモリカード１０８に記録するための画像データを生成したり、液晶モニタ１１０に表示するための画像データを生成したりする。また、画像処理部１６０は、メモリカード１０８に格納された画像データに対して処理を施し、液晶モニタ１１０に表示するための画像データを生成したり、メモリカード１０８に再格納するための画像データを生成したり、通信部１１１を介して外部装置に送信するための画像データを生成したりする。また、画像処理部１６０は、絞り１２３の開口径を変化させて同一シーンを撮像した明暗の異なる複数の画像データを合成して１つの画像データを生成する。画像処理部１６０は、ＤＳＰやマイクロコンピュータなどで実現可能である。
【００２４】
前処理部１６１は、ＡＤコンバータ１０５で変換された画像データに対して、ガンマ補正やホワイトバランス補正、傷補正などの各種画像処理を行う。ＹＣ変換部１６２は、ＲＧＢで表現される画像データをＹＣ（Ｙ：輝度信号、Ｃ：色差信号）信号で表現される画像データに変換する。
【００２５】
電子ズーム処理部１６５は、画像データに対して電子的に拡大処理又は縮小処理を行う。その際、電子ズーム処理部１６５は、画像データに対して、画像データの一部の切り出し処理や、間引き処理、補間処理などの処理を適宜実行する。要するに、電子ズーム処理部１６５は、画像データの画素数を変換する手段である。
【００２６】
圧縮部１６３は、ＤＣＴ（離散コサイン変換）、ハフマン符号化などをおこなうことにより、ＹＣで表現される画像データを圧縮する。圧縮部１６３は、例えば、ＪＰＥＧ規格に準拠した圧縮形式により画像データを圧縮する。圧縮形式は、動画用圧縮形式であるＨＥＶＣのフレーム内圧縮方式（ＨＥＶＣ−ｉ）を静止画画像データとしても良い。すなわち、ＪＰＥＧ形式の画像データに限定されない。
【００２７】
伸張部１６４は、メモリカード１０８に格納された圧縮済みの画像データを液晶モニタ１１０で再生する場合などに、この画像データを非圧縮の状態に復号化する。
【００２８】
コントローラ１５０は、デジタルカメラ１０１全体を制御する制御手段である。コントローラ１５０は、半導体素子などで実現可能である。コントローラ１５０は、ハードウェアのみで構成してもよいし、ハードウェアとソフトウェアを組み合わせることにより実現してもよい。コントローラ１５０は、マイクロコンピュータで実現できる。
【００２９】
バッファメモリ１１５は、画像処理部１６０及びコントローラ１５０のワークメモリとして機能する。バッファメモリ１１５は、例えば、ＤＲＡＭ、強誘電体メモリなどで実現できる。カードスロット１０７は、メモリカード１０８を着脱可能である。カードスロット１０７は、機械的及び電気的にメモリカード１０８と接続可能である。メモリカード１０８は、フラッシュメモリや強誘電体メモリなどを内部に含み、データを格納可能である。
【００３０】
内蔵メモリ１０９は、フラッシュメモリや強誘電体メモリなどで実現可能である。コントローラ１５０は、生成した画像ファイルをメモリカード１０８又は内蔵メモリ１０９に格納可能である。また、コントローラ１５０は、メモリカード１０８に格納されている画像ファイルを読み出して、内蔵メモリ１０９に格納したり、内蔵メモリ１０９に格納されている画像ファイルを読み出して、メモリカード１０８に格納したりすることができる。
【００３１】
液晶モニタ１１０は、イメージセンサ１４１で生成した画像データが示す画像やメモリカード１０８などから読み出した画像データが示す画像を表示可能である。また、液晶モニタ１１０は、デジタルカメラ１０１の各種の設定情報を表示可能である。例えば、液晶モニタ１１０は、ＥＶ値などを表示できる。
【００３２】
通信部１１１は、外部装置との間で通信を行うための手段である。通信部１１１は、無線ＬＡＮユニットやＵＳＢ通信ユニットなどで構成できる。操作部１７０は、各種操作手段を総称した構成要素である。操作部１７０は、使用者の指示を受け付け、その指示をコントローラ１５０に伝える。フラッシュ１１３は、被写体を照射する光を発光する。
【００３３】
回転検出部１９０は、デジタルカメラ１０１の回転状態を検出する。コントローラ１５０は、回転検出部１９０が検出したデジタルカメラ１０１の回転状態に関する情報を取得することができる。例えば、回転検出部１９０は、回転センサや、角速度センサで実現できる。なお、ＯＩＳアクチュエータ１３４が、回転検出部１９０の役目を果たしてもよい。駆動電流の大きさによって、筐体がどれだけ傾いているか検出することができるからである。
【００３４】
〔１−２．デジタルカメラの背面構成〕
図２は、本開示の第一の実施の形態にかかるデジタルカメラ１０１の背面図である。以下、図２を用いて、各種操作部材について説明する。
【００３５】
レリーズ釦１７１、ズームダイアル１７２、モードダイアル１７４は、カメラ本体の上面に配置されている。レリーズ釦１７１は、押下操作を受け付ける。コントローラ１５０は、レリーズ釦１７１が半押し操作されるのに応じて、ＡＥ制御やＡＦ制御を開始する。また、デジタルカメラ１０１は、レリーズ釦１７１が全押し操作されるのに応じて、被写体の撮像を行う。
【００３６】
ズームダイアル１７２は、レリーズ釦１７１の周りに回転可能に配置されている。コントローラ１５０は、ズームダイアル１７２が回転操作されるのに応じて、光学ズーム制御や電子ズーム制御を開始する。
【００３７】
モードダイアル１７４は、回転操作を受け付ける。モードダイアル１７４は、目盛りが設けられており、各目盛りにはデジタルカメラ１０１の動作モードが割り当てられている。デジタルカメラ１０１の動作モードとは、例えば、再生モードや撮影モードなどを含み、本実施例においては、撮影画像の階調特性（または色空間特性）として、第１の階調特性（または色空間特性）とするか、第２の階調特性（または色空間特性）とするかを選択する手段である。コントローラ１５０は、モードダイアル１７４の回転操作に応じて、モードダイアル１７４が指定する動作モードでデジタルカメラ１０１を制御する。
【００３８】
電源スイッチ１７３、十字キー１８０、削除釦１８６、液晶モニタ１１０は、カメラ本体の背面に配置されている。電源スイッチ１７３は、スライド操作を受け付ける。電源スイッチ１７３は、スライド操作に応じて、デジタルカメラ１０１の電源状態を切り替える。
【００３９】
液晶モニタ１１０は、モードダイアル１７４により選択された動作モードに応じて、メモリカード１０８に格納された画像データやメニュー画面などを表示する。
【００４０】
十字キー１８０は、４方向及び中央部の５パターン（１８１〜１８５）の押下操作を受け付ける。コントローラ１５０は、十字キー１８０が押下操作されるのに応じて、再生画像データの切り替えなどの液晶モニタ１１０の表示の操作を行う。
【００４１】
削除釦１８６は、押下操作を受け付ける。コントローラ１５０は、削除釦１８６が押下操作されるのに応じて、予め選択された画像データを削除する。
【００４２】
〔１−３．画像ファイルフォーマットのデータ構造〕
〔１−３−１．ファイル全体の構造〕
図３は、本開示の第１の実施の形態にかかるデジタルカメラ１０１が取り扱う画像ファイルフォーマットのデータ構造を示した図である。図３を用いて画像ファイルフォーマットのデータ構造について説明する。
【００４３】
画像ファイルＤ１０は、第１の画像データＤ２５と、第２の画像データＤ３３とを格納する。第２の画像データは、第１の画像データとは異なる第２の階調特性（または色空間特性）を有する。
【００４４】
メモリカード１０８内に記憶されているＦＡＴ（Ｆｉｌｅ  Ａｌｌｏｃａｔｉｏｎ  Ｔａｂｌｅ）は、先頭識別子Ｄ２２や末尾識別子Ｄ３４などを管理することにより、画像ファイルＤ１０を１つのファイルとして管理する。コントローラ１５０は、ＦＡＴを読み出すことにより、画像ファイル同士を区別して管理できる。
【００４５】
以下、画像ファイルＤ１０の構造を詳細に説明する。
【００４６】
〔１−３−２．メインヘッダ部〕
〔１−３−２−１．メインヘッダ部の全体構成〕
メインヘッダ部Ｄ２０は、先頭識別子Ｄ２２とヘッダ部Ｄ２３とを有する。
【００４７】
先頭識別子Ｄ２２は、画像ファイルＤ１０の起点をあらわすマーカであり、例えば、ＪＰＥＧ規格で規定されたファイルのスタート情報（ｘＦＦＤ８）である。
【００４８】
ヘッダ部Ｄ２３は、画像ファイルＤ１０全体に対する管理データを格納する領域である。ヘッダ部Ｄ２３は、管理データとして、管理テーブルＴ１０、サムネイル画像データＤ２４等を含む。
【００４９】
管理テーブルＴ１０は、第１の画像データＤ２５と第２の画像データＤ３３とを互いに区別するための情報を含む。
【００５０】
サムネイル画像データＤ２４は、第１の画像データＤ２５に基づいて作成された縮小画像データである。サムネイル画像データＤ２４は、例えば、横１６０ドット×縦１２０ドットの画像サイズである。Ｅｘｉｆ規格では、サムネイル画像データＤ２４は、ヘッダ部Ｄ２３に格納されるものとして規定されている。
【００５１】
〔１−３−２−２．管理テーブル〕
図４を用いて、管理テーブルＴ１０について詳細に説明する。図４は、管理テーブルＴ１０の模式図である。管理テーブルＴ１０は、先頭アドレスＴ１１と、各画像の識別子Ｔ１２と、各画像の色空間情報Ｔ１３とを関連付けた状態で各情報を管理する。
【００５２】
先頭アドレスＴ１１は、第２の画像データが格納されている領域の先頭アドレスを示す情報である。
【００５３】
各画像の画像識別子Ｔ１２は、各画像データがフル画素の画像データと表示用画像データのいずれであるかを示す識別子である。各画像の識別子は、「０」の場合、対応する画像データがフル画素の画像データであることを示し、「１」の場合、対応する画像データが表示用画像データであることを示す。なお、副画像識別子の値は、「０」と「１」ではなくてもよく、「１０」と「１１」であっても、「０１」と「１０」であってもよい。すなわち、副画像識別子の値は、二つの異なるパターンを表現できれば何でもよい。
【００５４】
ここで、各画像データのうちいずれがフル画素の画像データであるか、またいずれが表示用画像データであるかについては、コントローラ１５０が適宜指定可能である。
【００５５】
例えば、コントローラ１５０は、第１の画像データと同等の画素数の画像データを原画像データと指定し、第１の画像データよりも低い画素数の画像データを表示用画像データと指定してもよい。
【００５６】
次に、各画像の識別子をヘッダ部Ｄ２３に格納する理由を述べる。仮に、各画像の識別子がない場合、画像データを検索する際に、コントローラ１５０は、全ての画像ヘッダ又は各画像データを読み出す必要がある。しかし、各画像データを検索する毎に、全ての画像ヘッダ又は画像データを読み出していたのでは処理が煩雑となり、コントローラ１５０の処理負担が大きいものとなる。そこで、このような問題を解決するため、各画像の識別子をヘッダ部Ｄ２３に格納することとした。
【００５７】
次に、副画像識別子として、フル画素の画像データを示す識別子と、表示用画像データを示す識別子とを設けた理由を述べる。各画像の識別子を用いた画像データの検索は、画像データを表示する場合に必要となることが多い。その場合、画像データが、表示用画像データなのか、表示用画像データの基となるフル画素の画像データなのかという観点で、画像データを検索できれば十分である。そこで、検索の効率を高めるために、最も頻繁に実行される検索の観点に沿って、フル画素の画像データを示す識別子と表示用画像データを示す識別子とを設けたのである。
【００５８】
各画像の色空間情報Ｔ１３は、各画像データがどの色空間に基づく画像データであるかを示す情報である。
【００５９】
ヘッダ部Ｄ２３が各画像の色空間情報Ｔ１３を格納するので、コントローラ１５０は、各画像の色空間情報Ｔ１３を参照することにより、それぞれの画像データの色空間に応じた再生方法を選択できる。例えば、色空間情報Ｔ１３として「ｓＲＧＢ」が格納されていれば、コントローラ１５０は、ｓＲＧＢのＹＣ→ＲＧＢ変換に基づいて再生することができる。
【００６０】
〔１−３−２−３．サムネイル画像データ〕
図３に戻って、サムネイル画像データＤ２４について説明する。サムネイル画像データＤ２４は、電子ズーム処理部１６５が第１の画像データＤ２５に対して、間引き処理、切り出し処理、補間処理などをすることにより生成される。ヘッダ部Ｄ２３は、サムネイル画像データＤ２４を格納する。これにより、液晶モニタ１１０は、瞬時にサムネイル画像表示を行うことができる。
【００６１】
〔１−３−２−４．その他格納される情報〕
また、ヘッダ部Ｄ２３は、管理テーブルＴ１０、サムネイル画像データＤ２４の他に、第１の画像データや各画像データのプロテクト情報を格納する。プロテクト情報が格納されると、第１の画像データＤ２５には削除に対するプロテクトがかかる。つまり、第１の画像データＤ２５は、プロテクト情報が消去されるまで削除不可能となる。
【００６２】
ここで、第１の画像データに対するプロテクト情報をメインヘッダに格納し、各画像に対するプロテクト情報を対応する副画像データの副画像ヘッダに格納することができる。これにより、第１の画像及び副画像についてのプロテクトをそれぞれ独立して行うことができる。また、それぞれの画像に対するプロテクト及びその解除の際に対応するヘッダのみを更新すればよいため、データの取り扱いが容易となる。
【００６３】
本実施の形態においては、第１の画像データに対するプロテクト情報と、各画像データに対するプロテクト情報とをそれぞれの対応するヘッダに格納する構成とした。しかし、必ずしもこのような構成とする必要はない。
【００６４】
例えば、メインヘッダにプロテクト情報が格納された場合に、画像ファイル全体の画像データがプロテクトされているとしてもよい。これにより、同一の画像ファイル内に格納されている全ての画像データのプロテクトを一括に取り扱うことができる。
【００６５】
また、メインヘッダに２つのプロテクト情報を格納可能とし、各画像ヘッダにもプロテクト情報を格納可能とすることもできる。この際、メインヘッダに格納される一方のプロテクト情報は、画像ファイル全体の画像データのプロテクト状態を管理する。他方のプロテクト情報は、第１の画像データのプロテクト状態を管理する。各画像ヘッダに格納されるプロテクト情報は、対応する副画像データのプロテクト状態を管理する。これにより、画像ファイル単位に一括で画像データのプロテクト状態を管理するか、それぞれの画像データのプロテクト状態を独立して管理するかを使用者は選択することができる。
【００６６】
〔１−３−３．第１の画像データ部〕
第１の画像データ部Ｄ２１は、第１の画像に関する情報を格納する。第１の画像データＤ２５は、デジタルカメラ１０１で撮像した画像の画像データをＪＰＥＧ形式で圧縮したものである。なお、第１の画像データＤ２５は、必ずしもＪＰＥＧ形式で圧縮された画像データでなくてもよく、ＧＩＦデータやＲＡＷデータなどの画像データであってもよい。つまり、第１の画像データＤ２５は、必ずしも圧縮されている必要はない。また、圧縮されていたとしても圧縮形式は何であってもよい。
【００６７】
末尾識別子Ｄ２６は第１の画像データ部Ｄ２１の終点を示すマーカ（ｘＦＦＤ９）である。このマーカを管理するテーブルをヘッダ部Ｄ２３に設けることにより、画像ファイルＤ１０のうちの一部の画像データを分割する際に、ファイルに新たにＳＯＩやＥＯＩを付加する必要がなくなる。従って、ファイルの分割を容易に行うことができる。
【００６８】
〔１−３−４．第２の画像部〕
図３において、副画像データ部Ｄ３０は、第２の画像に関する情報を格納する。先頭識別子Ｄ３１は、第２の画像データ部Ｄ３０の起点を示すマーカである。このマーカを管理するテーブルをヘッダ部Ｄ２３に設ける。これにより、第２の画像データの検索を容易に行うことができる。また、ファイルを分割する際、分割点を容易に見つけることができる。さらに、このマーカを設けておくことにより、画像ファイルＤ１０を分割する際に、ファイルに新たにＳＯＩやＥＯＩを付加する必要がない。従って、ファイルの分割を容易に行うことができる。
【００６９】
第２の画像ヘッダＤ３２は、第２の画像データＤ３３の属性情報などを格納する。例えば、第２の画像データＤ３３が第１の画像とは異なる第２の階調特性を有する画像データである旨に関する情報などが格納される。
【００７０】
また、第２の画像ヘッダＤ３２は、第２の画像データＤ３３のサムネイル画像データを格納する。サムネイル画像データは、第２の画像データに基づいて生成される。これにより、副画像データに対するサムネイル画像の表示を瞬時に行うことができる。
【００７１】
Ｅｘｉｆ規格においては、ヘッダ部にサムネイル画像データを含めることが必要であると規定されている。よって、第１の画像データと第２の画像データとを分割するときは、画像ヘッダ内に改めてサムネイル画像データを格納する必要が生じる。本実施の形態においては、各画像ヘッダに副画像に対応するサムネイル画像データを格納しているので、第１と第２の画像データを分割する際、改めて副画像ヘッダにサムネイル画像データを格納する必要はない。
【００７２】
なお、第２の画像ヘッダＤ３２は、第１の画像データのヘッダ部Ｄ２３と異なる形式のヘッダ情報を格納してもよい。例えば、ヘッダ部Ｄ２３にＥｘｉｆ規格のヘッダ情報を格納し、第２の画像ヘッダＤ３２には、ＭＰ４形式のヘッダを格納してもよい。
【００７３】
第２の画像データＤ３３は、第１の画像データＤ２５とは異なる第２の階調特性（または色空間特性）を有する。
【００７４】
末尾識別子Ｄ３４は、第２の画像データ部Ｄ３０の終点を示すマーカである。このマーカを管理するテーブルをヘッダ部Ｄ２３に設ける。これにより、画像ファイルＤ１０を分割する際に、ファイルに新たにＳＯＩやＥＯＩを付加する必要がない。従って、ファイルの分割を容易に行うことができる。
【００７５】
〔２．記録動作〕
第１の実施の形態におけるデジタルカメラ１０１が記録動作について、記録動作のフローチャート図５を用いて説明する。撮影モードにおいて使用者がレリーズ釦１７１を全押しすると、イメージセンサ１４１が出力するＲＡＷデータがバッファメモリ１１５に格納される。（Ｓ１０２）。
【００７６】
次に、コントローラ１５０は、モードダイアル１７４の設定に応じて、第２の階調特性（または色空間特性）での撮影か、第１の階調特性（または色空間特性）での撮影かを判断する（Ｓ１０３）。
【００７７】
第２の階調特性（または色空間特性）での撮影と判断した場合には、バッファメモリ１１５のＲＡＷデータに対して前処理部１６１において第２の階調特性（または色空間特性）によって画像処理を行い、さらにＹＣ変換部１６２によって第２のＹＣデータが生成される（Ｓ１０４〜Ｓ１０５）。第２のＹＣデータは、圧縮部１６３によって、第２の符号化方式に基づいて圧縮処理が行われる（Ｓ１０６）。第２の符号化方式は、例えばＨＥＶＣのフレーム内圧縮方式（ＨＥＶＣ−ｉ）でも良いし、ＪＰＥＧ圧縮方式であっても良い。バッファメモリ１１５のＲＡＷデータは、前処理部において第１の階調特性（または色空間特性）によって画像処理を行い、さらにＹＣ変換部１６２によって第１のＹＣデータが生成される（Ｓ１０７〜Ｓ１０８）。第１のＹＣデータは、圧縮部１６３によって、第１の符号化方式に基づいて圧縮処理が行われる。第１の圧縮方式は、例えばＪＰＥＧ圧縮方式であっても良い。このようにして生成された第１の画像データは、第２の画像データと結合され、１つのファイルとして、図３に示した形式でメモリカード１０８に記録される。この際に、管理テーブルＴ１０内の色空間情報Ｔ１３には、ＢＴ．２０２０の値が記録される。
【００７８】
一方、第１の階調特性（または色空間特性）での撮影と判断した場合には、バッファメモリ１１５のＲＡＷデータに対して前処理部１６１において第１の階調特性（または色空間特性）によって画像処理を行い、さらにＹＣ変換部１６２によって、第１のＹＣデータが生成される（Ｓ２０４〜Ｓ２０５）。第１のＹＣデータは、圧縮部１６３によって、第１の符号化方式に基づいて圧縮処理が行われる。このようにして生成された画像データは、第２の階調特性（または色空間特性）に基づく第２の画像データは含まないＪＰＥＧファイルとしてメモリカード１０８に記録される。この際に、管理テーブルＴ１０内の色空間情報Ｔ１３には、ｓＲＧＢまたはＡｄｏｂｅＲＧＢの値が記録される。
【００７９】
〔３．再生動作〕
本開示の第1の実施の形態にかかるデジタルカメラ１０１における画像データの再生動作について再生動作のフローチャート図６を用いて説明する。再生モードにおいては、メモリカード１０８から、再生すべき画像の管理テーブルＴ１０が読み込まれ（Ｓ３０２）、管理テーブルＴ１０内に格納された色空間情報Ｔ１３が、第２の階調特性（または色空間特性）の画像を含むかどうかが判断される（Ｓ３０３）。第２の階調特性（または色空間特性）の画像データが含まれていれば、再生装置が第２の階調特性（または色空間特性）に対応しているかどうかを判断する（Ｓ３０４）。再生ファイルに第２の階調特性（または色空間特性）の画像が含まれ、かつ再生装置が第２の階調特性（または色空間特性）に対応していれば、管理テーブルＴ１０内の第２の画像の画像データの先頭アドレスに従って、第２の画像データＤ３３が再生される（Ｓ３０５）。再生ファイルが第２の階調特性（または色空間特性）の画像を含まない場合、および再生装置が第２の階調特性（または色空間特性）に対応していない場合には、第１の画像データＤ２５が再生される（Ｓ３１５）。
【００８０】
以上の構成により、本実施の形態にかかるデジタルカメラ１０１は、第２の階調特性（または色空間特性）に基づく撮影を行う際には、第２の階調特性（または色空間特性）の画像データと第１の階調特性（または色空間特性）の画像データとを結合して、１つの画像ファイルとしてメモリカード１０８に記録する。第２の階調特性（または色空間特性）の画像データの再生動作においては、再生装置が第２の階調特性（または色空間特性）に対応していれば、第２の画像データを再生し、再生装置が第２の階調特性（または色空間特性）に対応していない場合、および再生ファイルが第２の階調特性（または色空間特性）の画像データを含まない場合には、第１の画像データを再生する。第２の階調特性は、ダイナミックレンジの広い再生装置に適した階調特性であり、第２の色空間特性は、広い色空間を再現できる再生装置に適した色空間特性である。  なお、画像ファイルを記録するメモリカード１０８は、デジタルカメラ１０１に内蔵されている内蔵メモリ１０９であってもよい。
【００８１】
〔４．編集〕
第１の実施の形態にかかるデジタルカメラ１０１における画像データの編集について説明する。
【００８２】
第１の実施の形態にかかるデジタルカメラ１０１においては、図３に示す通り、第１の画像データＤ２５と第２の画像データＤ３３が独立して１つのファイル内に格納されているので、第１の画像データＤ２５および第２の画像データＤ３３に対して、それぞれ独立して階調特性を変更することが可能である。すなわち、デジタルカメラ１０１は、メモリカード１０８から画像ファイルを再生し、ユーザーに第１の画像か第２の画像か、どちらの階調（または色空間）を変更するのかを選択させる。第１の画像の階調特性（または色空間特性）を変更する場合には、第１の画像データＤ２５の階調特性（または色空間特性）を変更して記録する。第２の画像の階調特性（または色空間特性）を変更する場合には、管理テーブルＴ１０内の第２の画像の先頭アドレスに従って、第２の画像データＤ３３の階調（または色空間特性）を変更して記録する。
【００８３】
〔５．効果等〕
（１）本実施の形態において、デジタルカメラ１０１は、第１の階調特性を有する第１の画像データＤ２５を生成する手段と、第１の階調特性とは異なる第２の階調特性を有する第２の画像データＤ３３を生成する手段と、第１の画像データＤ２５と第２の画像データＤ３３とを１つの画像ファイルＤ１０に格納する手段と、を備える。
【００８４】
これにより、画像ファイルＤ１０には異なる階調特性を持った画像データ（Ｄ２５、Ｄ３３）が記録される。そのため、画像を印刷または表示する際に、記録された画像ファイルＤ１０を、それぞれの装置のダイナミックレンジに適した階調特性に応じて、第１の画像データＤ２５または第２の画像データＤ３３を印刷または表示することができる。
【００８５】
（２）本実施の形態において、画像データ処理装置１０１は、第１の色空間特性を有する第１の画像データＤ２５を生成する手段と、第１の色空間特性とは異なる第２の色空間特性を有する第２の画像データＤ３３を生成する手段と、第１の画像データＤ２５と第２の画像データＤ３３とを１つの画像ファイルＤ１０に格納する手段と、を備える。
【００８６】
これにより、画像ファイルＤ１０には異なる色空間特性を持った画像データ（Ｄ２５、Ｄ３３）が記録される。そのため、画像を印刷または表示する際に、記録された画像ファイルＤ１０を、それぞれの装置の色空間特性に適した色空間特性に応じて、第１の画像データＤ２５または第２の画像データＤ３３を印刷または表示することができる。
【００８７】
（３）本実施の形態において、画像データ処理装置１０１は、上記画像データ処理装置を構成する手段に加えて、第１の階調特性または第１の色空間特性を持ちテレビの表示画素数（例えば、１９２０×１０８０画素）に等しい画素数を持つ第３画像データＤ４３を生成する手段と、第２の階調特性または第２の色空間特性を持ち、テレビの表示画素数（例えば、３８４０×２１９０画素）に等しい画素数を持つ第４の画像データＤ５３を生成する手段と、第１の画像データＤ２５と第２の画像データＤ３３と第３の画像データＤ４３と第４の画像データＤ５３とを、１つの画像ファイルＤ１０に格納する手段と、を備える。
【００８８】
これにより、画像ファイルＤ１０には異なる画素数を持った画像データ（Ｄ２５、Ｄ３３、Ｄ４３、Ｄ５３）が記録される。そのため、それぞれの表示装置は表示画素数と等しい画像データ（Ｄ４３またはＤ５３）を選択して再生することが可能となり、画像表示に要する時間を短縮できる。
【００８９】
（４）本実施の形態において、画像データ処理装置１０１は、第１の階調特性または第１の色空間特性を有する第１の画像データＤ２５を生成する手段と、第１の階調特性または第１の色空間特性とは異なる第２の階調特性または第２の色空間特性を有する第２の画像データＤ３３を生成する手段と、第２の画像データと第１の画像データとの差分データから差分画像データＤ６３を生成する手段と、第１の画像データＤ２５と差分画像データＤ６３とを１つの画像ファイルＤ６０に格納する手段と、を備える。
【００９０】
これにより、第２の画像データＤ３３より少ないデータ量の差分画像データＤ６３を生成することが可能となり、画像ファイルＤ１０よりも画像ファイルの容量を小さくすることができ、メモリカード１０８の使用量を削減できる。
【００９１】
（５）本実施の形態において、画像データ処理装置１０１は、再生すべき画像ファイル（Ｄ１０またはＤ６０）に第２の階調特性を有する第２の画像データ（Ｄ３３、Ｄ６３、Ｄ４３、Ｄ５３の少なくとも何れかの画像データ）が含まれるかどうかを判断する手段と、第２の画像データ（Ｄ３３、Ｄ６３、Ｄ４３、Ｄ５３の少なくとも何れかの画像データ）が含まれており、かつ、第２の階調特性に対応している場合には、第２の画像データ（Ｄ３３、Ｄ６３、Ｄ４３、Ｄ５３の少なくとも何れかの画像データ）を再生する手段と、を備える。
【００９２】
これにより、画像データ処理装置１０１は自身の表現できる最適な階調特性で再生できる。
【００９３】
（６）本実施の形態において、画像データ処理装置１０１は、再生すべき画像ファイル（Ｄ１０またはＤ６０）に第２の色空間特性を有する第２の画像データ（（Ｄ３３、Ｄ６３、Ｄ４３、Ｄ５３の少なくとも何れかの画像データ）が含まれるかどうかを判断する手段と、第２の画像データ（Ｄ３３、Ｄ６３、Ｄ４３、Ｄ５３の少なくとも何れかの画像データ）が含まれており、かつ、第２の色空間特性に対応している場合には、第２の画像データ（Ｄ３３、Ｄ６３、Ｄ４３、Ｄ５３の少なくとも何れかの画像データ）を再生する手段と、を備える。
【００９４】
これにより、画像データ処理装置１０１は自身の表現できる最適な色空間特性で再生できる。
【００９５】
（７）本実施の形態において、画像データ処理装置１０１は、複数の階調特性を有する画像データ（Ｄ２５、Ｄ３３、Ｄ６３、Ｄ４３、Ｄ５３の少なくとも２つ以上の画像データ）を格納した画像ファイル（Ｄ１０またはＤ６０）の中から、第１の階調特性を有する第１の画像データＤ２５を再生する手段と、第２の階調特性を有する第２の画像データ（Ｄ３３、Ｄ６３、Ｄ４３、Ｄ５３の少なくとも何れかの画像データ）を再生する手段と、第２の画像データ（Ｄ３３、Ｄ６３、Ｄ４３、Ｄ５３の少なくとも何れかの画像データ）の階調特性を変化させて第５の画像データを生成する手段と、第１の画像データと第５の画像データとを１つの画像ファイル（Ｄ１０またはＤ６０）に格納する手段と、を備える。
【００９６】
これにより、画像データ処理装置１０１の使用者は、画像ファイル（Ｄ１０またはＤ６０）に格納されている第２の画像データ（Ｄ３３、Ｄ６３、Ｄ４３、Ｄ５３の少なくとも何れかの画像データ）の階調特性を表示装置のダイナミックレンジや使用者の意図に沿った階調特性を有する画像に加工・編集することができる。
【００９７】
（８）本実施の形態において、画像データ処理装置１０１は、複数の色空間特性を有する画像データ（Ｄ２５、Ｄ３３、Ｄ６３、Ｄ４３、Ｄ５３の少なくとも２つ以上の画像データ）を格納した画像ファイル（Ｄ１０またはＤ６０）の中から、第１の色空間特性を有する第１の画像データＤ２５を再生する手段と、第２の色空間特性を有する第２の画像データ（Ｄ３３、Ｄ６３、Ｄ４３、Ｄ５３の少なくとも何れかの画像データ）を再生する手段と、第２の画像データ（Ｄ３３、Ｄ６３、Ｄ４３、Ｄ５３の少なくとも何れかの画像データ）の色空間特性を変化させて第５の画像データを生成する手段と、第１の画像データとＤ２５第５の画像データとを１つの画像ファイル（Ｄ１０またはＤ６０）に格納する手段と、を備える。
【００９８】
これにより、画像データ処理装置１０１の使用者は、画像ファイル（Ｄ１０またはＤ６０）に格納されている画像データ（Ｄ２５、Ｄ３３、Ｄ６３、Ｄ４３、Ｄ５３の少なくとも２つ以上の画像データ）の色空間特性を表示装置のダイナミックレンジや使用者の意図に沿った色空間特性を有する画像に加工・編集することができる。
【００９９】
（９）また、本実施の形態において、画像データ処理装置１０１は、ユーザーが階調特性を選択する手段と、ユーザーが第１の階調特性を選択した場合は、第１の階調特性を有する第１の画像データをＤ２５生成して第１の階調特性を有する第１の画像データＤ２５を格納し第１の階調特性とは異なる第２の階調特性を有する第２の画像データ（Ｄ３３、Ｄ６３、Ｄ４３、Ｄ５３の少なくとも何れかの画像データ）を格納しない画像ファイル（末尾識別子Ｄ２６までで構成されたファイル）を生成し、ユーザーが第２の階調特性を選択した場合は、第１の階調特性を有する第１の画像データＤ２５を生成して第１の階調特性を有する第１の画像データＤ２５を格納し第１の階調特性とは異なる第２の階調特性を有する第２の画像データ（Ｄ３３、Ｄ６３、Ｄ４３、Ｄ５３の少なくとも何れかの画像データ）も格納する画像ファイル（Ｄ１０またはＤ６０）を生成する手段と、を備える。
【０１００】
これにより、第１の階調特性が選択された時は第１の画像データＤ２５のみを記録し、第２の階調特性が選択された時は第１の画像データＤ２５と第２の画像データ（Ｄ３３、Ｄ６３、Ｄ４３、Ｄ５３の少なくとも何れかの画像データ）を格納したファイル（末尾識別子Ｄ２６までで構成されたファイル、またはＤ１０、Ｄ６０）を記録することができる。
【０１０１】
（１０）本実施の形態において、画像データ処理装置１０１は、複数の階調特性を有する画像データ（Ｄ２５、Ｄ３３、Ｄ６３、Ｄ４３、Ｄ５３の少なくとも２つ以上の画像データ）を格納した画像ファイル（Ｄ１０またはＤ６０）の中から、それぞれの画像データ処理装置１０１のダイナミックレンジや使用者の意図に沿った画像データ（Ｄ２５、Ｄ３３、Ｄ６３、Ｄ４３、Ｄ５３の何れか）を選択して再生する手段を備える。
【０１０２】
これにより、画像データ処理装置１０１の使用者は、それぞれの画像データ処理装置１０１のダイナミックレンジや使用者の意図に沿った画像データを選択して再生することができる。
【０１０３】
（他の実施の形態）
以上のように、本出願において開示する技術の例示として、実施の形態１を説明した。しかしながら、本開示における技術は、これに限定されず、変更、置き換え、付加、省略などを行った実施の形態にも適用できる。また、上記実施の形態１で説明した各構成要素を組み合わせて、新たな実施の形態とすることも可能である。
【０１０４】
そこで、以下、他の実施の形態を例示する。
【０１０５】
実施の形態１では、図３のように、第１の画像データと第２の画像データをそれぞれ１つずつ格納して記録したが、ハイビジョンテレビにおける再生表示を高速化するために、電子ズーム処理部１６５を用いて、図７のように、第１の画像データを横１９２０画素、縦１０８０画素にリサイズした第３の画像データを生成し、第２の画像データに対して横１９２０画素、横１０８０画素にリサイズした第４の画像データを生成しても良い。また、第１の階調特性を変更する場合には、第１の画像データと第３の画像データの階調が一致するように編集・記録し、第２の階調特性を変更する場合には、第２の画像データと第４の画像データの階調が一致するように編集・記録する。また、これらの第３の画像および第４の画像の画素数は、４Ｋテレビに対応して、横３８４０画素、縦２１６０画素でも良い。
【０１０６】
実施の形態１では、図３のように、第１の画像データＤ２５と第２の画像データＤ３３とを独立した画像データとして記録したが、図８のように、第１の画像データＤ２５と、第２の画像データと第１の画像データとの差分画像データ
Ｄ６３を格納して記録しても良い。このように生成された差分画像データＤ６３は第２の画像データよりもデータ容量が少ないため、画像ファイルＤ６０の容量を画像ファイルＤ１０の容量より小さくすることができ、画像ファイルの記録・再生時間を短縮することができる。なお、図８の画像ファイルにおいて、第１の画像データの階調特性を変更する場合には、第１の画像データの階調特性と差分画像データを変更して記録する必要が有る。
【０１０７】
実施の形態１では、画像データ処理装置の一例としてデジタルカメラ１０１を例に説明した。しかし、画像処理部１６０と、バッファメモリ１１５と、コントローラ１５０と、操作部１７０と、液晶モニタ１１０と、カードスロット１０７と、メモリカード１０８と、を備えた構成とすれば、撮像を行わないテレビなどの表示装置や再生装置・編集装置などに適用できる。
【産業上の利用可能性】
【０１０８】
本開示は、プリンタやテレビなど、ダイナミックレンジの異なる機器において、それぞれの機器に最適な複数の階調特性または色空間特性を有する画像データを１つのファイルに記録し、編集・再生することができる。例えば、プリンタやテレビ、モニタ、デジタルスチルカメラ、デジタルビデオカメラ、カメラ機能付き携帯電話端末、スマートフォン等に適用できる。
【符号の説明】
【０１０９】
１０１  デジタルカメラ（画像データ処理装置）
１０８  メモリカード
１０９  内蔵メモリ
１１０  液晶モニタ
１１１  通信部
１１５  バッファメモリ
１４１  イメージセンサ
１５０  コントローラ
１６０  画像処理部
１６３  圧縮部
１６４  伸張部
１６５  電子ズーム処理部
１７４  モードダイアル
Ｄ１０  画像ファイル
Ｄ２５  第１の画像データ
Ｄ３３  第２の画像データ
Ｄ６０  画像ファイル
【図１】
2018019122.tif 000003
【図２】
2018019122.tif 000004
【図３】
2018019122.tif 000005
【図４】
2018019122.tif 000006
【図５】
2018019122.tif 000007
【図６】
2018019122.tif 000008
【図７】
2018019122.tif 000009
【図８】
2018019122.tif 000010